(57)【要約】本発明は、表示装置（８）を駆動する方法に関する。この表示装置は、有機エレクトロルミネッセント材料（４，５）の層を有する。この層は、分離された複数のアノードセグメント（５′）を有するアノード（５）とカソード（６）とに挟まれている。この方法は、アノードセグメント（５′）をＮ個のサブグループ（５ａ，５ｂ）に分割し、各サブグループの各アノードセグメントが同じサブグループの構成要素ではないアノードセグメントによって囲まれるようにしたステップと、画像信号ＩＳｔｏｔを対応するＮ個のサブグループＩＳ１，ＩＳ２，…，ＩＳＮに分割することによりｉ番目のサブグループがその対応するｉ番目のアノードセグメントサブグループのアノードセグメントに供給されるようにされた情報を有するようにしたステップと、第１時間期間ｔ１において当該画像信号ＩＳ１の第１サブグループ（ｉ＝１）を第１アノードセグメント（５ａ）の対応する第１サブグループに供給するとともに、他の全てのアノードセグメントを略同等な電位に保持するステップとを有する。本発明はまた、上記方法に用いられる装置に関する。
2004520626.tif 000002
【特許請求の範囲】
【請求項１】
発光ポリマ、低分子化合物その他の有機エレクトロルミネッセント材料の層を有し、この層がアノードとカソードとの間に挟まれ、当該アノードが、分離した複数のアノードセグメントを有する表示装置の駆動方法であって、
当該表示装置のアノードセグメントをＮ個のサブグループに分割し、各サブグループにおける各アノードセグメントが、同じサブグループの構成要素ではないアノードセグメントによって囲まれ、当該表示装置の各アノードセグメントが、当該サブグループのうちの１つの構成要素に略相当するようにするステップと、
当該表示装置における完成した全ての画像を表示するのに必要な全ての情報を有する画像信号を対応のＮ個サブグループに分割し、ｉ番目のサブグループが、対応するｉ番目（１≦ｉ≦Ｎ）のアノードセグメントサブグループのアノードセグメントに供給されることを目的とした情報を有するようにするステップと、
第１時間期間において、当該画像信号の第１サブグループを第１アノードセグメントの対応する第１サブグループへ供給するとともに、ｉ≠１のものであって前記第１サブグループに属するアノードセグメントを囲む他の全てのアノードセグメントを略同等電位に保持するステップと、
を有する、表示装置の駆動方法。
【請求項２】
請求項１に記載の表示装置の駆動方法であって、後の時間期間においてｉ番目の画像信号サブグループを当該ｉ番目のアノードセグメントサブグループに引き続き供給するとともに、各アノードサブグループが活性化されるまで当該ｉ番目のサブグループに属するアノードセグメントを囲む他の全てのアノードセグメントを略等しい電位に保持するステップと、後の画像信号フレームについて当該処理を繰り返すステップとをさらに有する、駆動方法。
【請求項３】
請求項１又は２に記載の方法であって、前記第１サブグループに属するアノードセグメントを囲む他の全てのアノードセグメントを略一定かつ等しい電位に保持するステップは、前記アノードセグメントの当該グループを接地させるステップを有する、方法。
【請求項４】
請求項１，２又は３に記載の方法であって、当該表示装置は、列アノードと行カソードとを有するパッシブマトリクス表示装置であり、前記列アノードは、前記アノードセグメントを構成する、方法。
【請求項５】
請求項４に記載の方法であって、Ｎ＝２であり、当該表示装置は、間隔の置いた列アノードの２つのグループにより構成される、方法。
【請求項６】
請求項１，２又は３に記載の方法であって、当該表示装置は、画素毎に個別のアノードセグメントを有するアクティブマトリクス表示装置であり、各画素は、複数の隣接画素により略全体的に囲まれている、方法。
【請求項７】
第１電極構造体と第２電極構造体との間に挟まれた、発光ポリマ又は低分子化合物の層その他の発光層を有する表示装置であって、
前記第１電極構造体は、アノード構造体を構成し、Ｎ個のサブグループに分割される複数の個別アノードセグメントを有し、これらサブグループは、各サブグループにおける各アノードセグメントが同じサブグループの構成要素ではないアノードセグメントにより囲まれるようにされ、当該表示装置の各アノードセグメントは、当該サブグループのうちの１つの構成要素に相当するものとされ、当該表示装置は、各アノードセグメントに接続される信号セレクタアセンブリをさらに有し、前記信号セレクタアセンブリは、１つのサブグループのアノードセグメントに画像情報信号を供給するよう構成されるとともに残りのアノードセグメントを等電位に保持するよう構成された、表示装置。
【請求項８】
請求項７に記載の表示装置であって、当該表示装置のフル画像を表示するのに必要な全ての情報を有する画像信号フレームＩＳｔｏｔは、前記信号セレクタアセンブリに供給されそのＮ個のアノードセグメントサブグループに対応するＮ個の画像信号サブグループに分割されるよう構成され、後の時間期間において、ｉ番目の画像信号サブグループは、各アノードサブグループが活性化されるまでｉ番目のアノードセグメントグループに供給されるよう構成され、その後に当該処理が後の画像信号フレームにおいて繰り返される、表示装置。
【請求項９】
請求項７又は８に記載の表示装置であって、前記信号セレクタアセンブリは、１つのサブグループのアノードセグメントに画像情報信号を供給するとともに残りのアノードセグメントをグランドに接続するよう構成される、表示装置。
【請求項１０】
請求項７，８又は９に記載の表示装置であって、当該表示装置は、列アノード及び行カソードを有するパッシブマトリクス表示装置であり、前記列アノードは、前記アノードセグメントを構成する、表示装置。
【請求項１１】
請求項１０に記載の表示装置であって、Ｎ＝２であり、当該表示装置は、間隔をおいた列アノードの２つのグループにより構成される、表示装置。
【請求項１２】
請求項７，８又は９に記載の表示装置であって、当該表示装置は、画素毎に分離したアノードセグメントを有するアクティブマトリクス表示装置であり、各画素は、複数の近隣画素により略全体が囲まれる、表示装置。
【発明の詳細な説明】
【０００１】
【発明の属する技術分野】
本発明は、発光ポリマ又は低分子化合物などの有機エレクトロルミネッセント材料の層を有する表示装置を駆動する方法に関する。
【０００２】
本発明はまた、第１電極構造体と第２電極構造体との間に挟まれる、発光ポリマ又は低分子化合物層のような発光層を有する表示装置であって、上述した方法に用いて好適な表示装置に関する。
【０００３】
【従来の技術】
ポリマ発光ダイオードすなわちポリＬＥＤ技術は、特に最近発見された技術であり、ある特定のポリマが発光ダイオードにおける半導体として用いることができるという事実に基づいている。この技術は、ポリマが軽く柔軟性のある材料であり生産するのに安価であるので非常に興味深いものである。したがって、ポリＬＥＤは、例えば電子新聞などとして用いるために、薄くて非常に柔軟なディスプレイを作る可能性を提供するものである。ポリＬＥＤディスプレイの他の用途としては、例えば、セルラ電話用のディスプレイが挙げられる。
【０００４】
ポリＬＥＤディスプレイは、ＬＣＤディスプレイのような競合する技術に対して有利な特徴を数多く有している。先ず、ポリＬＥＤディスプレイは、光の発光効率が高く、ポリＬＥＤディスプレイの光度はＬＣＤディスプレイの３倍強ともなりうる。したがって、ポリＬＥＤディスプレイは、１つの同じバッテリで３倍強持続することができる。さらに、ポリＬＥＤはコントラスト及び輝度に関して有益である。例えば、ポリＬＥＤディスプレイは、全方向に同じ強度で光が透過するので視角依存性がない。
【０００５】
しかしながら、上述したように、かかるポリＬＥＤディスプレイは、極最近の技術分野に属するので、こうしたディスプレイを改良する必要性がある。
【０００６】
ポリマＬＥＤの基本的なデバイス構造は、通常はＩＴＯとされる体系化された電極すなわちアノードと、カソードと、それぞれ当該アノードとカソードとの間に介在する導電ポリマ層（例えばＰＥＤＯＴ）のような導電層及び放射層とを有する。このポリマＬＥＤディスプレイはさらに、種々の駆動手段を用いることもある。２つの代替例としてパッシブマトリクス駆動とアクティブマトリクス駆動とがあり、本発明は、主にこれらのタイプのマトリクスディスプレイに関するものである。
【０００７】
パッシブマトリクスディスプレイにおいては、当該アノードは、アノード列（又はそれらの方向によってはアノード行）とも呼ばれ、各々が電流源に接続される個別の平行なアノード細片（ストリップ）のセットを有するものがある。この場合、カソードも、カソード列（又はそれらの方向によってはカソード行）とも呼ばれる個別の平行なカソード細片（ストリップ）のセットを有し、それらの方向は、アノード細片又は列に実質的に直交している。パッシブマトリクス装置は、「１ライン同時」の形態で駆動可能であり、すなわち所望の画素パターンに応じた１組の別々の電流が当該アノード列のセットに供給され、対応するカソード行は、全部の電流がこの行に集まるように活性化される。その結果、ある特定のカソード行に対しては、アノードとカソードとの交差により作られる画素が、当該カソード行が活性化されたときの時間（ライン時間とも呼ばれる）において当該アノード列に供給されこれにより当該発光ポリマ層を通じて導かれた電流の量に応じた光度をもって輝く。かかるライン時間が経過した後は、次の所望画素パターンに応じた電流がアノード列のセットに供給され、当該順序における次のカソード行が、その電流を集めるよう活性化される。当該セットにおける全てのカソード行細片についてこの方法を繰り返すことによって、完全な画像が作られる。視覚的に安定した画像を得るために、この処理は１秒につき２５から２００回（いわゆるフレームレート）反復される。
【０００８】
アクティブマトリクスディスプレイにおいては、その画面は、分離した複数の画素セルに分割される。かかるセルの各々は、当該セルを駆動する個別のトランジスタを有し、個別の画素アノードを有する。このようなディスプレイの一例は、特願平１０−７４７５９号において開示されている。
【０００９】
しかしながら、こうした種類のディスプレイの問題は、アノード列間又は画素アノード間といった隣接するアノードセグメント間に漏れ電流が生じることである。この現象はまたクロストークとも呼ばれる。従来技術においては、表示画面に画像を表示しようとするときには、当該画素セルに所望の電界を確立するために各画素に信号を送り、これにより当該発光ポリマを通じる電流に応じて所望の発光を起こしている。しかし、これには、ある１つの画素は当該画像における所望の変化のために異なる強度の電界がかけられる隣接画素により取り囲まれることがある、という作用がある。したがって、隣接アノード間の電位差のために、当該アノード間に漏れ電流が生じることになる。この漏れは、画像品質の望ましくない劣化や画像の鮮明度の低下をもたらしてしまう。図２は、このことを概略的に示している。ある程度、このような類の漏れは、当該漏れ電流の大きさ及び方向を予測することによって補償することができ、当該画素セルにかかる電界をこれに応じて調整することができる。但し、この種の補償は、非常に複雑になる。何故なら、周囲のセルは、個別に与えられるからである。これにより、当該ディスプレイの方向に漏れ電流が依存するという事態、すなわち当該漏れ電流は一方の方向において非常に小さくなり他方の方向においては大きくなる、という事態を招く。したがって、かかる漏れ電流を扱う簡単でより効率的な方法が求められている。
【００１０】
【発明が解決しようとする課題】
本発明の目的は、上述した問題を克服する表示装置及び表示装置を駆動する方法を提供することである。
【００１１】
【課題を解決するための手段】
これら目的その他の目的は、本文冒頭の段落に述べたような表示装置を駆動するものであって、以下の如き方法によって達成される。
【００１２】
すなわち、当該層がアノードとカソードとの間に挟まれ、当該アノードが、分離した複数のアノードセグメントを有する表示装置の駆動方法において、
【００１３】
当該表示装置のアノードセグメントをＮ個のサブグループに分割し、各サブグループにおける各アノードセグメントが、同じサブグループの構成要素ではないアノードセグメントによって囲まれ、当該表示装置の各アノードセグメントが、当該サブグループのうちの１つの構成要素に略相当するようにするステップと、
【００１４】
当該表示装置におけるフル画像を表示するのに必要な全ての情報を有する画像信号を対応のＮ個のサブグループに分割し、これによりｉ番目のサブグループが、対応するｉ番目（１≦ｉ≦Ｎ）のアノードセグメントサブグループのアノードセグメントに供給されることを目的とした情報を有するようにするステップと、
【００１５】
第１時間期間ｔ１において、当該画像信号の第１サブグループ（ｉ＝１）を第１アノードセグメントの対応する第１サブグループへ供給するとともに、ｉ≠１のものであって前記第１サブグループに属するアノードセグメントを囲む他の全てのアノードセグメントを略同等電位に保持するステップと、
を有するものとしている。
【００１６】
当該周辺セグメントを一定の電位に保ちながら、あるグループに属する各アノードセグメントに供給をなすことによって、各被供給アノードセグメントとその周辺セグメントとの間の電位ギャップは、一定になる。したがって、被供給アノードセグメントとその周辺セグメントとの間の漏れ電流は、全方向において等しくなり、予測及び補償を簡単に行うことができる。
【００１７】
本発明の好ましい実施例によれば、本方法は、後の時間期間ｔ１，ｔ２，…，ＴＮにおいてｉ番目の画像信号サブグループを当該ｉ番目のアノードセグメントサブグループに引き続き供給するとともに、各アノードサブグループが活性化されるまで当該ｉ番目のサブグループに属するアノードセグメントを囲む他の全てのアノードセグメントを略等しい電位に保持するステップと、後の画像信号フレームについて当該処理を繰り返すステップとをさらに有するものとしている。この形態において、全部の画像の発生段階において被供給アノードの近隣のアノードを一定の電位にするという利点を得ながらも、当該ディスプレイのどの画素も、視認可能な画像を構成するのに用いることができる。
【００１８】
さらに、ｉ≠１のものでありまた前記第１サブグループに属するアノードセグメントを囲む他の全てのアノードセグメントを略一定かつ等しい電位に保持するステップは、前記アノードセグメントの当該グループを接地させるステップを有するものとすることにより、当該周囲セルに定電位を簡単に付与することができる。
【００１９】
本発明の一実施例によれば、当該表示装置は、列アノードと行カソードとを有するパッシブマトリクス表示装置であり、前記列アノードは、前記アノードセグメントを構成するものとすることにより、隣接行アノード間の漏れ電流は防止される。本発明によるパッシブマトリクス表示装置は、互いに間隔の空けられた列アノードの２つのサブグループによって構成されるのが好ましい。すなわちＮ＝２である。２つの相互離隔グループを持つことによって、当該ディスプレイの最大有効範囲が得られ、比較的低い反復レートとなる。言うまでもなく、本発明は、カソード及びアノードのそれぞれの方向とは関係がない。したがって、列アノード及び行カソードなる文言は、行アノード及び列カソード以外にも、他のいずれかの角形成構成を含むものと解すべきである。
【００２０】
本発明のもう１つの実施例によれば、当該表示装置は、画素毎に個別のアノードセグメントを有するアクティブマトリクス表示装置であり、概して各画素は、複数の隣接画素により全体的に囲まれるものとしている。
【００２１】
したがって、この種のディスプレイは、例えば当該ディスプレイの５つの画素ごとに画像信号を供給することのできる準連続的なモードで駆動されうるとともに、その隣接画素が、グランドのような定電位に接続され、これによりその特定の画素のガードリングとして働くのである。次のステップにおいては、後続するセットの画素がアドレス指定される。そしてこの処理を、当該ディスプレイのどの画素も照らすように、フレーム期間当たり５回繰り返すことが可能となる。
【００２２】
上述した目的その他の目的は、次のようにしても達成することができる。
【００２３】
すなわち、第１電極構造体と第２電極構造体との間に挟まれた、発光ポリマ層を有する表示装置であって、前記第１電極構造体は、アノード構造体を構成し、Ｎ個のサブグループに分割される複数の個別アノードセグメントを有し、これらサブグループは、各サブグループにおける各アノードセグメントが同じサブグループの構成要素ではないアノードセグメントにより囲まれるようにされ、当該表示装置の各アノードセグメントは、当該サブグループのうちの１つの構成要素に相当するものとされ、当該表示装置は、各アノードセグメントに接続される信号セレクタアセンブリをさらに有し、前記信号セレクタアセンブリは、１つのサブグループのアノードセグメントに画像情報信号を供給するよう構成されるとともに残りのアノードセグメントを等電位に保持するよう構成された、表示装置とするのである。ある特定のグループに属する各アノードセグメントの供給をなすことによって、一定の電位にその周辺のセグメントを保持するとともに、各被供給アノードセグメントとその周辺のセグメントとの間の電位ギャップが一定になる。したがって、当該被供給アノードセグメントとその周辺セグメントとの間の漏れ電流は、全ての方向において等しいものとなり、予測及び補償がしやすくなり、当該画素強度における望ましくない変化を生じなくなる。なお、好適な実施例においては、当該発光ポリマ層が有機エレクトロルミネッセント材料を有するものとされる。
【００２４】
当該表示装置のフル画像を表示するのに必要な全ての情報を有する画像信号フレームＩＳｔｏｔは、前記信号セレクタアセンブリに供給されそのＮ個のアノードセグメントサブグループに対応するＮ個の画像信号サブグループに分割されるよう構成され、後の時間期間ｔ１，ｔ２，…，ＴＮにおいて、ｉ番目の画像信号サブグループＩＳｉは、各アノードサブグループが活性化されるまでｉ番目のアノードセグメントグループに供給されるよう構成され、その後に当該処理が後の画像信号フレームＩＳｔｏｔ＿ｎｅｘｔにおいて繰り返されるものとするのが好ましい。こうすることにより、ディスプレイのどの画素も視覚的に見えるような画像を形成するのに用いることができるとともに、全体の画像発生段階において被供給アノードの隣接アノードを一定電位にすることができるという効果を得ることができる。一定の更新レートを維持するため、最新の装置と比較すると、ＩＳｉのフレームレートは、ＩＳｔｏｔ＿ｎｅｘｔにつき同じ更新レートとするためにはＮ倍高くしなければならない。好ましくは、前記信号セレクタアセンブリは、１つのサブグループのアノードセグメントに画像情報信号を供給するとともに残りのアノードセグメントをグランドに接続するよう構成されるものとされ、簡単に当該周辺セルに対し一定かつ等しい電位を与えることができる。
【００２５】
好ましい実施例によれば、当該表示装置は、列アノード及び行カソードを有するパッシブマトリクス表示装置であり、前記列アノードは、前記アノードセグメントを構成するものとし、これにより隣接行アノード間の漏れ電流を避けることができる。本発明によるパッシブマトリクス表示装置は、２つのサブグループの間隔の空いた列アノード（すなわちＮ＝２）によって構成されるのが好ましい。間隔をおいて配置された２つのグループを持つことによって、当該ディスプレイの最大有効範囲が達成され、比較的に低い反復レートが得られる。本発明は、カソード及びアノードのそれぞれの方向とは無関係なものであることは言うまでもない。したがって、列アノード及び行カソードなる文言は、行アノード及び列カソードだけでなく他のいずれの角形成構成をも含むものと解されるべきである。
【００２６】
本発明のもう１つの実施例によれば、当該表示装置は、画素毎に分離したアノードセグメントを有するアクティブマトリクス表示装置であり、各画素は、複数の近隣画素により略全体が囲まれるものとしている。
【００２７】
したがって、この種のディスプレイは、例えば当該ディスプレイの５つの画素ごとに画像信号を供給することのできる準連続的なモードで駆動されうるとともに、その隣接画素が、グランドのような一定かつ同等な電位に接続され、これによりその特定の画素のガードリングとして働くことになる。次のステップにおいては、後続するセットの画素がアドレス指定される。そしてこの処理を、当該ディスプレイのどの画素も照らすように、フレーム期間当たり５回繰り返すことが可能となる。
【００２８】
【発明の実施の形態】
以下、本発明の現在好ましいと考えられる実施例について添付図面を参照してより詳しく説明する。
【００２９】
図１及び図２は、本発明による表示装置８の構成を示す概略図である。装置８は、基本的に、図２に巧く示されるように、第１及び第２の基体プレート１，２と、これら基本プレート１，２の間に挟まれたポリマ層３，４とを有する。第１基板の内面１′すなわち当該ポリマ層に面する表面には、分離した互いに平行な多数の列を形成する電極構造体５が設けられ、各列は、当該表示装置８においてアノード又はアノードセグメント５′を構成する。表示装置８は、Ｌ個のアノードセグメント５′を有する。各アノードセグメント５′は、以下により詳しく説明されるように、画像信号発生器９に接続される。同様に、第２基板２の内面２′すなわち当該ポリマ層に面する表面には、この表示装置８におけるカソード又はカソードセグメント６′を各々形成する分離されかつ相互に平行な多数の行を形成する第２の電極構造体６が設けられている。表示装置８は、Ｍ個のカソードセグメント５′を有する。各カソードは、どのカソードをいつ活性化するべきかを選択するためにカソードセレクタ１０に接続される。図１において、このカソード行５′及びアノード列６′は、上述から分かるように、実質的に互いに直角をなし、共に画素のパターンを作る。電気的かつ化学的絶縁層である保護層１１及び１２は、電極構造体５と基体プレート１との間、第２電極構造体６と基体プレート２との間のそれぞれに配される。
【００３０】
ポリマ層３，４は、第１の導電層３（本例ではＰＥＤＯＴ層のようなポリマ層）と第２の放射層４との２つのサブレイヤによって構成される。第１の導電層３は、アノード構造体５の近くに配され、第２の放射層４は、カソード構造体６寄りに配される。
【００３１】
上述したように、各アノード列６′は、各アノードセグメント６′に電流を供給するよう構成された画像信号発生器９に接続されており、この電流の大きさは、当該ディスプレイ８において呈すべき所望画像に応じたものである。さらに、この画像信号発生器９は信号セレクタ集成部７を有する。これについては直ぐ後でさらに説明する。
【００３２】
本例においては、パッシブマトリクスディスプレイの図１に示されるように、アノードセグメント５′が２つのサブグループに分割され、各サブグループが当該ディスプレイのアノードセグメントを１つおきに有している。したがって、間隔のおいたアノードセグメント５′の第１グループ５ａ及び第２グループ５ｂが作られる。第１グループ５ａのアノードセグメントのどれもが第１信号セレクタユニット７ａに接続され、第２グループ５ｂのアノードセグメントのどれもが第２信号セレクタユニット７ｂに接続される。この第１及び第２セレクタユニット７ａ，７ｂは共に、上記画像信号発生器９に接続される信号セレクタアセンブリ７を形成する。
【００３３】
各カソードセグメントは、目下表示すべき画像情報に関しての当該画像信号発生器からの情報に基づいて、特定の時間フレームの間どのカソードをアクティブにすべきかを選択する機能を有するカソード選択装置１０と接続されている。
【００３４】
本パッシブマトリクス装置は、「１ライン同時」モードで駆動される。すなわち、所望の画素パターンに応じた種々の電流のセットが当該セットのアノード列に供給され、対応するカソード行が、全電流がこの行に集められるように活性化される。当該ディスプレイを駆動しこれにより画像を発生すると、そのディスプレイ全体において全部の完成した画像を表示するのに必要な全ての情報を有する画像信号ＩＳｔｏｔが、先ず、当該画像信号発生器において発生される（又は例えばテレビジョンディスプレイにおけるが如くもう一方のソースから受信される）。この信号は、その後、当該ディスプレイの各アノードセグメントにつき１つとして、Ｌ個（Ｌは当該ディスプレイのアノードセグメントの総数）のセグメントに分離される。アノードとカソードとの交差部分はいずれもそのディスプレイの画素と呼ばれることがあり、それ故一方ではＬ信号セグメントの各々は、他の画素列とともにフル画像を作るために１列分の画素を駆動するのに必要な全情報を有するのである。但し、このディスプレイ８は、「１ライン同時」モードすなわち本例においてはより正確に言うと「１行同時」モードに駆動されるので、当該Ｌ個の信号セグメントは、時間期間０〜Ｔにおいては第１行を、時間期間Ｔ〜２Ｔにおいては第２行を、…といったように駆動するための情報を有する。この時間Ｔは、ライン時間と呼ばれることがある。
【００３５】
さらに、当該Ｌ個の信号セグメントは、各々がアノードセグメントグループの１つに対応するＮ個のサブグループに分割される。一般的ケースにおいて、信号セグメントは、当該アノードセグメントグループ５１，５２，…，５Ｎに対応するＮ個のサブグループＩＳ１，ＩＳ２，…，ＩＳＮに分割される。かかる信号サブグループＩＳ１〜ＩＳＮは、その後、信号セレクタアセンブリ７に供給される。かかるアセンブリは、第１時間期間ｔ１において第１信号サブグループＩＳ１を第１アノードセグメントグループ５１へ送るとともに、残りのサブグループは、接地電位の如き定電位に保持されるように構成されている。ｔ１は０〜Ｔ／Ｎの間の持続期間を有し、次の時間間隔は等しい長さ、Ｔ／Ｎ（Ｔ＝ｔ１＋ｔ２…＋ｔＮ）とするのが好ましい。当該シーケンスにおける第２時間間隔ｔ２において、信号セレクタアセンブリ７は、第２信号サブグループＩＳ２を第２アノードセグメントサブグループ５２へ送るとともに残りのサブグループは、接地電位の如き定電位に保持されるよう構成される。上述したことは、これらサブグループのうちの１つに属する当該ディスプレイの全ての画素が活性化されるまでｔ３，ｔ４，…，ｔＮにつき繰り返される。
【００３６】
特定のケース（図示されている）ではＮ＝２であり、したがって当該信号セグメントは、アノードセグメントグループ５ａ及び５ｂにそれぞれ対応する２つのサブグループＩＳ１及びＩＳ２に分割される。そして信号サブグループＩＳ１及びＩＳ２は、それぞれ信号セレクタアセンブリ７ａ及び７ｂに供給される。第１信号セレクタ７ａは、各時間ラインの前半すなわち０〜Ｔ／２の間において第１信号サブグループＩＳ１を第１アノードセグメントサブグループ５ａに送るよう構成される。次の時間間隔Ｔ／２〜Ｔにおいて、第１信号セレクタ７ａは、接地電位のような定電位を第１アノードセグメントサブグループ５ａに供給するよう構成される。同じライン時間において、第２信号セレクタ７ｂは、各ライン時間の前半すなわち０〜Ｔ／２において接地電位のような定電位を第２アノードセグメントサブグループ５ｂへ供給するよう構成される。次の時間間隔Ｔ／２〜Ｔにおいて、第２信号セレクタ７ｂは、第２信号サブグループＩＳ２を第２アノードセグメントサブグループ５ｂへ送るよう構成される。したがって、他のアノードセグメントの各々に、カソード行活性化時間の第１パートの間において制御信号が供給されるとともに、残りは等しい電位に保持され、当該カソード行活性化時間の第２のパートにおいては逆となる。この結果、特定のカソード行について、当該アノードとカソードとの交差により作られる画素が、当該カソード行が活性化された時間（ライン時間とも言う）において当該アノード列に供給されこれにより発光ポリマ層を通ぜしめられた電流量に依存した光度をもって光ることになる。
【００３７】
その後、当該シーケンスにおける次のカソード行が電流を集めるように活性化され、次に対象とされる画素パターンに応じた電流が第１セットのアノード列それから第２セットのアノード列に供給される。上述した処理は、当該ディスプレイの全ての行について繰り返される。全部の処理は、安定した画像を得るために毎秒２５から２００回（フレームレートと呼ばれる）の割合で繰り返される。
【００３８】
上述した形態でディスプレイを駆動することによって、接地点（又は他の何らかの等しくかつ固定された電位）に接続されるときには、いずれの被駆動画素も画素に取り囲まれるのが常である。かくして漏れ電流の大きさの変化による画素強度の望ましくないばらつきや変動が回避される。さらに、上述した駆動方法及びディスプレイを利用することにより、上述したようなポリマ層の１つに用いられるＰＥＤＯＴ材料の特定の抵抗についての厳格な値に依存しない。
【００３９】
上述した実施例の多数の変形例、特に信号分割や供給順序についての変形例も実現可能であり、かかる改変は、添付の請求項の範囲内にあることは言うまでもない。さらに、時間分割も変更可能であり、これはカラーディスプレイにとって特に重要である。上述した実施例では、各行についての画像が２つのステップで構成されるので、フレームレートを２倍にするか又はライン時間を半分にしなければならない。上述したアプローチはまた、引き続いて起きるフレームにおいてであるがライン時間の前半及び後半において偶数及び奇数番列をアドレス指定しない場合にも実現可能である。アノード及びカソードの相互の方向は本発明とはあまり関係がないので、列及び行といった文言は広い用語に解されるべきである。
【００４０】
本発明の第２実施例によれば、上述した駆動及び表示技術は、マトリクスカラー表示装置のために実施される。この場合、上述したように、同じ基本的原理が成立する。但し、ビデオ情報の画素アドレッシングへの適正な変換に備える必要があるが、上述したような本発明の特徴としてはそれほど重要ではなく、それ故にこれ以上の説明はしないことにする。
【００４１】
本発明の第３実施例によれば、本表示装置は、各セルを駆動するための個別のトランジスタを有するアクティブマトリクス装置であるとしている。この種のディスプレイは、画素照射を起動する電流を小さくし高速スイッチングを導くことができるという点でパッシブマトリクスディスプレイに対し有利である。但し、この場合、画像劣化を招来する電力漏れが２つの方向において生じる。何となれば、活性化すべき画素を取り囲む全ての画素により漏れ電流が決まるからである。このケースにおいて、ディスプレイは、例えば当該アレイにおける５つの画素ごとに光る一方で、その光った画素の各々がアースに接続されるとともにその特定フレームにおいて保護リングを共に形成する画素によって取り囲まれるようにした準連続的モードで駆動可能である。その次のステップでは、後続のセットの画素がアドレス指定され、本ケースではディスプレイの各セットの画素が光るまで当該処理が５回繰り返される。
【００４２】
本発明は上述した実施例に限定されるものと解するべきではなく、むしろ付属の請求項に規定された範囲内で可能な全ての変形例を含むものである。このような変形例は上述している。本発明の更なるバリエーションの範囲は、上に示したように、個別の制御手段を用い広めの表示領域を共同でカバーするような複数の小規模表示構造体を用いることを含みうる。
【００４３】
さらに注意すると、上述した実施例は、発光ポリマを用いたディスプレイに関係するものであるが、添付した請求項に記載される如き発明は、低分子化合物などの他の有機エレクトロルミネッセント材料を用いたディスプレイに等しく適用可能である。
【図面の簡単な説明】
【図１】本発明のディスプレイ構成並びに接続される制御デバイスを示す概略図。
【図２】図１に示されるような表示装置の概略断面図。
【図３】従来技術の装置に伴う問題を示す概略図。
【国際公開パンフレット】
2004520626.tif 000003
2004520626.tif 000004
2004520626.tif 000005
2004520626.tif 000006
2004520626.tif 000007
2004520626.tif 000008
2004520626.tif 000009
2004520626.tif 000010
2004520626.tif 000011
2004520626.tif 000012
2004520626.tif 000013
2004520626.tif 000014
2004520626.tif 000015
2004520626.tif 000016
2004520626.tif 000017
2004520626.tif 000018
2004520626.tif 000019
【国際公開パンフレット（コレクトバージョン）】
2004520626.tif 000020
2004520626.tif 000021
【国際調査報告】
2004520626.tif 000022
2004520626.tif 000023
2004520626.tif 000024